(57)【要約】  本発明は無針注射器に係る。本発明の一実施形態に係る無針注射器は、内部に薬液が収容され、前記薬液が吐出されるノズルアセンブリと、前記薬液が吐出されるように前記ノズルアセンブリに圧力を加える注射器本体と、を含み、前記ノズルアセンブリは、内部に薬液が収容される空間が提供され、前記薬液が吐出される吐出ホールが形成されるノズル容器と、前記ノズル容器内の薬液に圧力を加えるプランジャーと、を含み、前記注射器本体は、前記プランジャーに連結されるピストンと、前記ピストンに前記プランジャーが前記薬液に圧力を加える第１方向に弾性力を加えるピストン弾性部材と、前記ピストンを前記第１方向と反対方向である第２方向にロッキング（Ｌｏｃｋｉｎｇ）位置まで移動させる装填部と、前記ロッキング位置で前記ピストンが停止されるようにロッキングさせ、前記ロッキングを解除させるロッキング部と、を含む。【選択図】図１
2021531049.tif 000002
【特許請求の範囲】
【請求項１】
内部に薬液が収容され、前記薬液が吐出されるノズルアセンブリと、
前記薬液が吐出されるように前記ノズルアセンブリに圧力を加える注射器本体と、を含み、
前記ノズルアセンブリは、
内部に薬液が収容される空間が提供され、前記薬液が吐出される吐出ホールが形成されるノズル容器と、
前記ノズル容器内の薬液に圧力を加えるプランジャーと、を含み、
前記注射器本体は、
前記プランジャーに連結されるピストンと、
前記ピストンに前記プランジャーが前記薬液に圧力を加える第１方向に弾性力を加えるピストン弾性部材と、
前記ピストンを前記第１方向と反対方向である第２方向にロッキング（Ｌｏｃｋｉｎｇ）位置まで移動させる装填部と、
前記ロッキング位置で前記ピストンが停止されるようにロッキングさせ、前記ロッキングを解除させるロッキング部と、を含む無針注射器。
【請求項２】
前記ノズルアセンブリは、前記注射器本体に脱着可能に提供される請求項１に記載の無針注射器。
【請求項３】
前記ノズル容器には外部から薬液が注入されることができる注入ホールが形成される請求項１に記載の無針注射器。
【請求項４】
前記プランジャーは、前記注入ホールを通じて前記ノズル容器に挿入及び離脱される請求項３に記載の無針注射器。
【請求項５】
前記プランジャーの一端は、前記注入ホールを通じて前記ノズル容器の外部に露出され、
前記プランジャーの一端及び前記ピストンの一端は互いに対して前記第１方向及び前記第２方向に対して固定されるようにかみ合うように提供される請求項４に記載の無針注射器。
【請求項６】
前記ノズル容器の前記空間は、前記吐出ホールと隣接し、前記吐出ホールと連通される第１空間及び前記第１空間より前記吐出ホールから遠く提供される第２空間を含み、
前記第１方向に見る時、前記第１空間の直径は、前記第２空間の直径より小さく提供され、
前記プランジャーの他端は、前記第２空間から前記第１空間に挿入される請求項１に記載の無針注射器。
【請求項７】
前記プランジャーには側面の一領域及び前記他端の間を貫通する薬液移動路が形成され、
前記第１空間には前記吐出ホールから前記第１空間に流体が逆流することを防止する逆流防止部が提供され、
前記側面の前記一領域は、前記プランジャーが前記ロッキング位置に位置される場合には前記第２空間に位置され、前記プランジャーが前記ロッキング位置より前記吐出ホールに隣接するように位置される場合には前記第１空間に位置される請求項６に記載の無針注射器。
【請求項８】
内部に薬液が収容され、注射器本体に脱着され、前記注射器本体によって加えられる圧力によって前記薬液を吐出するノズルアセンブリにおいて、
内部に薬液が収容される空間が提供され、前記薬液が吐出される吐出ホールが形成されるノズル容器と、
前記ノズル容器内の薬液に圧力を加えるプランジャーと、を含み、
前記プランジャーは、前記注射器本体のピストンに脱着され、前記ピストンの移動によって移動されるノズルアセンブリ。
【請求項９】
前記ノズル容器には外部から薬液が注入されることができる注入ホールが形成される請求項８に記載のノズルアセンブリ。
【請求項１０】
前記プランジャーは、前記ノズル容器の前記吐出ホールが形成された面の反対面を通じて前記ノズル容器に挿入及び離脱され、
前記プランジャーの一端は、前記プランジャーが前記ノズル容器に挿入された状態で前記ノズル容器の外部に露出され、
前記プランジャーの前記一端にはユーザが把持することができる把持部が提供され、
前記把持部は、前記プランジャーが前記ノズル容器に挿入された後、前記プランジャーから除去される請求項８に記載のノズルアセンブリ。
【請求項１１】
前記ノズル容器の前記空間は、前記吐出ホールと隣接し、前記吐出ホールと連通される第１空間及び前記第１空間より前記吐出ホールから遠く提供される第２空間を含み、
前記第１方向に見る時、前記第１空間の直径は、前記第２空間の直径より小さく提供され、
前記プランジャーの他端は、前記第２空間から前記第１空間に挿入される請求項８に記載のノズルアセンブリ。
【請求項１２】
前記プランジャーには側面の一領域及び他端の間を貫通する薬液移動路が形成され、
第１空間には前記吐出ホールから前記第１空間に流体が逆流することを防止する逆流防止部が提供され、
前記側面の前記一領域は、前記プランジャーがロッキング位置に位置される場合には第２空間に位置され、前記プランジャーが前記ロッキング位置より前記吐出ホールに隣接するように位置される場合には前記第１空間に位置される請求項９に記載のノズルアセンブリ。
【請求項１３】
前記第１空間は、
前記プランジャーが挿入される挿入空間と、
前記吐出ホールと連通され、前記挿入空間より前記吐出ホールに隣接するバルブ提供空間と、を含み、
前記挿入空間及び前記バルブ提供空間の間には、前記逆流防止部によって開閉される逆流防止ホールが形成される逆流防止壁が提供され、
前記逆流防止部は、
前記バルブ提供空間の前記逆流防止ホールに対応される位置に提供されるバルブ部材と、
前記バルブ部材に前記吐出ホールから前記逆流防止ホールに向かう方向に弾性力を加えるバルブ弾性部材を含む請求項１２に記載のノズルアセンブリ。
【請求項１４】
内部に薬液が収容されるノズルアセンブリが脱着され、前記ノズルアセンブリに前記薬液が吐出されるように圧力を加える注射器本体において、
前記ノズルアセンブリのプランジャーが脱着されるピストンと、
前記ピストンに前記プランジャーが前記薬液に圧力を加える第１方向に弾性力を加えるピストン弾性部材と、
前記ピストンを前記第１方向と反対方向である第２方向にロッキング位置まで移動させる装填部と、
前記ロッキング位置で前記ピストンが停止されるようにロッキングさせ、前記ロッキングを解除させるロッキング部と、
内部に前記ピストンが提供される空間が形成されるハウジングと、を含む注射器本体。
【請求項１５】
前記ハウジングは、前記ピストンの一端に向かう面が開放され、
前記ハウジングの側面には前記ノズルアセンブリが挿入されるように、前記ピストンの前記一端に向かう面から前記ピストンの前記一端に対応される領域まで開放されるノズルアセンブリ結合ホールが形成され、
前記ノズルアセンブリ結合ホールには前記ノズルアセンブリ結合ホールを開閉する開閉部材が提供される請求項１４に記載の注射器本体。
【発明の詳細な説明】
【技術分野】
【０００１】
本発明はノズルアセンブリ、注射器本体、及びこれを含む無針注射器に関り、より詳細には針無しで薬液を連続的に注入することができるノズルアセンブリ、注射器本体、及びこれを含む無針注射器に係る。
【背景技術】
【０００２】
従来、薬物、即ち薬液を動物又は人に注入するために有針注射器を使用した。しかし、このような有針注射器は走査を打たれる対象の交差汚染、そのような注射と関連された痛み、及び走査を打たれる対象内で針が折れ、脱落される等の多様な問題点がある。特に、走査を打たれる対象内で針が折れるか、或いは脱落される場合、その対象の健康及び安全に有害することのみならず、相当な経済的な問題を誘発することもある。
【０００３】
現在に使用される有針注射器と関連された問題点を回避するための試図として、多様な企業が無針注射器の開発に拍車をかけている。
【０００４】
無針注射器は薬液注入のために動物又は人の肌を貫通する針を具備せず、瞬間的な圧力を通じて薬液を注入する。
【０００５】
しかし、既存の無針注射器の中で一部の製品は対象に注入しようとする薬液と機構部が一体型に具備されているので、非衛生的であり、感染危険性があり得る。又は、手動方式の無針注射器の中で一部の製品は一度の装填に一度の薬液注入のみが可能であるので、連続的に注入するには不便さがあった。
【発明の概要】
【発明が解決しようとする課題】
【０００６】
本発明の目的は衛生的であり、感染リスクを下げることができるノズルアセンブリ、注射器本体、及びこれを含む無針注射器を提供することにある。
【０００７】
また、本発明の目的は連続的に薬液を注入することができるノズルアセンブリ、注射器本体、及びこれを含む無針注射器を提供することにある。
【０００８】
本発明が解決しようとする課題はここに制限されなく、言及されないその他の課題は下の記載から通常の技術者に明確に理解されるべきである。
【課題を解決するための手段】
【０００９】
本発明は無針注射器を提供する。一実施形態によれば、無針注射器は、内部に薬液が収容され、前記薬液が吐出されるノズルアセンブリと、前記薬液が吐出されるように前記ノズルアセンブリに圧力を加える注射器本体と、を含み、前記ノズルアセンブリは、内部に薬液が収容される空間が提供され、前記薬液が吐出される吐出ホールが形成されるノズル容器と、前記ノズル容器内の薬液に圧力を加えるプランジャーと、を含み、前記注射器本体は、前記プランジャーに連結されるピストンと、前記ピストンに前記プランジャーが前記薬液に圧力を加える第１方向に弾性力を加えるピストン弾性部材と、前記ピストンを前記第１方向と反対方向である第２方向にロッキング（Ｌｏｃｋｉｎｇ）位置まで移動させる装填部と、前記ロッキング位置で前記ピストンが停止されるようにロッキングさせ、前記ロッキングを解除させるロッキング部と、を含む。
【００１０】
前記ノズルアセンブリは前記注射器本体に脱着可能に提供されることができる。
【００１１】
前記ノズル容器には外部から薬液が注入されることができる注入ホールが形成されることができる。
【００１２】
前記プランジャーは前記注入ホールを通じて前記ノズル容器に挿入及び離脱されることができる。
【００１３】
前記プランジャーの一端は前記注入ホールを通じて前記ノズル容器の外部に露出され、前記プランジャーの一端及び前記ピストンの一端は互いに対して前記第１方向及び前記第２方向に対して固定されるようにかみ合うように提供されることができる。
【００１４】
前記ノズル容器の前記空間は、前記吐出ホールと隣接し、前記吐出ホールと連通される第１空間及び前記第１空間より前記吐出ホールから遠く提供される第２空間を含み、前記第１方向に見る時、前記第１空間の直径は前記第２空間の直径より小さく提供され、前記プランジャーの他端は前記第２空間から前記第１空間に挿入されることができる。
【００１５】
前記プランジャーには側面の一領域及び前記他端の間を貫通する薬液移動路が形成され、前記第１空間には前記吐出ホールから前記第１空間に流体が逆流することを防止する逆流防止部が提供され、
前記側面の前記一領域は、前記プランジャーが前記ロッキング位置に位置される場合には前記第２空間に位置され、前記プランジャーが前記ロッキング位置より前記吐出ホールに隣接するように位置される場合には前記第１空間に位置されることができる。
【００１６】
また、本発明は内部に薬液が収容され、注射器本体に脱着され、前記注射器本体によって加えられる圧力によって前記薬液を吐出するノズルアセンブリを提供する。一実施形態によれば、ノズルアセンブリは、内部に薬液が収容される空間が提供され、前記薬液が吐出される吐出ホールが形成されるノズル容器と、前記ノズル容器内の薬液に圧力を加えるプランジャーと、を含み、前記プランジャーは前記注射器本体のピストンに脱着され、前記ピストンの移動によって移動される。
【００１７】
前記ノズル容器には外部から薬液が注入されることができる注入ホールが形成されることができる。
【００１８】
前記プランジャーは前記ノズル容器の前記吐出ホールが形成された面の反対面を通じて前記ノズル容器に挿入及び離脱され、前記プランジャーの一端は前記プランジャーが前記ノズル容器に挿入された状態で前記ノズル容器の外部に露出され、前記プランジャーの前記一端にはユーザが把持することができる把持部が提供され、前記把持部は前記プランジャーが前記ノズル容器に挿入された後、前記プランジャーから除去されることができる。
【００１９】
前記ノズル容器の前記空間は、前記吐出ホールと隣接し、前記吐出ホールと連通される第１空間及び前記第１空間より前記吐出ホールから遠く提供される第２空間を含み、前記第１方向に見る時、
前記第１空間の直径は前記第２空間の直径より小さく提供され、前記プランジャーの他端は前記第２空間から前記第１空間に挿入されることができる。
【００２０】
前記プランジャーには側面の一領域及び前記他端の間を貫通する薬液移動路が形成され、前記第１空間には前記吐出ホールから前記第１空間に流体が逆流することを防止する逆流防止部が提供され、前記側面の前記一領域は、前記プランジャーがロッキング位置に位置される場合には前記第２空間に位置され、前記プランジャーが前記ロッキング位置より前記吐出ホールに隣接するように位置される場合には前記第１空間に位置されることができる。
【００２１】
前記第１空間は、前記プランジャーが挿入される挿入空間と、前記吐出ホールと連通され、前記挿入空間より前記吐出ホールに隣接するバルブ提供空間を含み、前記挿入空間及び前記バルブ提供空間の間には、前記逆流防止部によって開閉される逆流防止ホールが形成される逆流防止壁が提供され、前記逆流防止部は、前記バルブ提供空間の前記逆流防止ホールに対応される位置に提供されるバルブ部材と、前記バルブ部材に前記吐出ホールから前記逆流防止ホールに向かう方向に弾性力を加えるバルブ弾性部材を含むことができる。
【００２２】
また、本発明は内部に薬液が収容されるノズルアセンブリが脱着され、前記ノズルアセンブリに前記薬液が吐出されるように圧力を加える注射器本体を提供する。一実施形態によれば、注射器本体は、前記ノズルアセンブリのプランジャーが脱着されるピストンと、前記ピストンに前記プランジャーが前記薬液に圧力を加える第１方向に弾性力を加えるピストン弾性部材と、前記ピストンを前記第１方向と反対方向である第２方向にロッキング位置まで移動させる装填部と、前記ロッキング位置で前記ピストンが停止されるようにロッキングさせ、前記ロッキングを解除させるロッキング部と、内部に前記ピストンが提供される空間が形成されるハウジングと、を含む。
【００２３】
前記ハウジングは前記ピストンの一端に向かう面が開放され、前記ハウジングの側面には前記ノズルアセンブリが挿入されるように、前記ピストンの前記一端に向かう面から前記ピストンの前記一端に対応される領域まで開放されるノズルアセンブリ結合ホールが形成され、前記ノズルアセンブリ結合ホールには前記ノズルアセンブリ結合ホールを開閉する開閉部材が提供されることができる。
【発明の効果】
【００２４】
本発明の実施形態に係るノズルアセンブリ、注射器本体、及びこれを含む無針注射器は衛生的であり、感染リスクを下げることができる。
【００２５】
また、本発明の実施形態に係るノズルアセンブリ、注射器本体、及びこれを含む無針注射器は連続的に薬液を注入することができる。
【図面の簡単な説明】
【００２６】
【図１】本発明の一実施形態に係る無針注射器を示した斜視図である。
【図２】図１の無針注射器のノズルアセンブリが注射器本体に結合された後、作動準備状態を示した側断面図である。
【図３】図２の無針注射器の吐出ホールに隣接する領域を示した側断面図である。
【図４】図２の無針注射器のピストンの他端に隣接する領域を示した側断面図である。
【図５】図１の無針注射器のピストンがロッキング位置に移動される形状を示した側断面図である。
【図６】図５の無針注射器の吐出ホールに隣接する領域を示した側断面図である。
【図７】図１の無針注射器のピストンがロッキング位置に位置された形状を示した側断面図である。
【図８】図７の無針注射器の吐出ホールに隣接する領域を示した側断面図である。
【図９】図７の無針注射器のピストンの他端に隣接する領域を示した側断面図である。
【図１０】図１の無針注射器の薬液が吐出された状態の形状を示した側断面図である。
【図１１】図１の無針注射器の薬液が吐出されたある状態の吐出ホールに隣接する領域を示した側断面図である。
【図１２】図１０の無針注射器の形状を示した側断面図である。
【図１３】図１の無針注射器の薬液が吐出され、ハンドルに加えられた力が緩んだ形状を示した側断面図である。
【図１４】図１のノズルアセンブリに薬液を注入する方法の一例を順次的に示した図面である。
【図１５】図１のノズルアセンブリに薬液を注入する方法の一例を順次的に示した図面である。
【図１６】図１のノズルアセンブリに薬液を注入する方法の一例を順次的に示した図面である。
【発明を実施するための形態】
【００２７】
以下、本発明の実施形態を添付された図面を参照してさらに詳細に説明する。本発明の実施形態は様々な形態に変形することができ、本発明の範囲が以下の実施形態に限定されることと解釈されてはならない。本実施形態は当業界で平均的な知識を有する者に本発明をさらに完全に説明するために提供されることである。したがって、図面での要素の形状はより明確な説明を強調するために誇張されたことである。
【００２８】
図１は本発明の一実施形態に係る無針注射器１０を示した斜視図である。図２は図１の無針注射器１０のノズルアセンブリ１０００が注射器本体２０００に結合された後、作動準備状態を示した側断面図である。図３は図２の無針注射器１０の吐出ホール１１２０に隣接する領域を示した側断面図である。図４は図２の無針注射器１０のピストン２１００の他端に隣接する領域を示した側断面図である。図１乃至図４を参照すれば、無針注射器１０はノズルアセンブリ１０００及び注射器本体２０００を含む。
【００２９】
ノズルアセンブリ１０００は内部に薬液が収容される。ノズルアセンブリ１０００は注射器本体２０００によって加えられる圧力によって内部に収容される薬液が吐出されるように提供される。一実施形態によれば、ノズルアセンブリ１０００はノズル容器１１００、プランジャー１２００、及び逆流防止部１３００を含む。ノズルアセンブリ１０００は注射器本体２０００に脱着可能に提供される。
【００３０】
ノズル容器１１００は内部に薬液が収容される空間１１１０が提供される。ノズル容器１１００には内部に収容された薬液が吐出される吐出ホール１１２０が形成される。吐出ホール１１２０はノズル容器１１００の注射器本体２０００の外部に露出され、薬液を注入する体部に向かう領域に形成される。例えば、吐出ホール１１２０はノズル容器１１００の注射器本体２０００に向かう方向と反対方向の終端面に形成されることができる。
【００３１】
ノズル容器１１００には外部から薬液が注入されることができる注入ホール１１３０が形成される。一実施形態によれば、注入ホール１１３０はノズル容器１１００の注射器本体２０００に結合された状態での注射器本体２０００に向かう面に形成されることができる。注入ホール１１３０はノズル容器１１００の吐出ホール１１２０が形成された面の反対面に形成されることができる。
【００３２】
一実施形態によれば、ノズル容器１１００の空間１１１０は第１空間１１１１及び第２空間１１１２を含む。
【００３３】
第１空間１１１１はノズル容器１１００の空間１１１０の吐出ホール１１２０と隣接し、吐出ホール１１２０と連通される領域である。一実施形態によれば、第１空間１１１１は挿入空間１１１１ａ及びバルブ提供空間１１１１ｂを含む。
【００３４】
挿入空間１１１１ａにはプランジャー１２００が挿入される。バルブ提供空間１１１１ｂは吐出ホール１１２０と直接的に連通される。バルブ提供空間１１１１ｂは挿入空間１１１１ａより吐出ホール１１２０に隣接するように位置される。挿入空間１１１１ａ及びバルブ提供空間１１１１ｂの間には逆流防止壁１３１０が提供される。逆流防止壁１３１０には逆流防止ホール１３１１が形成される。薬液吐出の時、挿入空間１１１１ａの薬液は逆流防止ホール１３１１を通じてバルブ提供空間１１１１ｂに流入される。
【００３５】
第２空間１１１２はノズル容器１１００の空間１１１０の第１空間１１１１より吐出ホール１１２０から遠く提供される領域である。
【００３６】
第１方向に見る時、第１空間１１１１の直径は第２空間１１１２の直径より小さく提供される。一実施形態によれば、第１方向は注射器本体２０００からノズルアセンブリ１０００に向かう方向である。
【００３７】
一実施形態によれば、第１空間１１１１の第２空間１１１２に隣接する領域にはＯリング（Ｏ−ｒｉｎｇ）１１４０が提供されることができる。Ｏリング１１４０の内側面はプランジャー１２００の側面に密着されるように提供される。Ｏリング１１４０は弾性を有する防水材質で提供される。Ｏリング１１４０が提供されることによって、プランジャー１２００の側面及び第１空間１１１１の内側面の間を通じて薬液が移動されることを防止することができる。
【００３８】
プランジャー１２００はノズル容器１１００内の薬液に圧力を加える。プランジャー１２００はノズル容器１１００の吐出ホール１１２０が形成された面の反対面を通じてノズル容器に挿入及び離脱されることができる。例えば、プランジャー１２００は注入ホール１１３０を通じてノズル容器１１００に挿入及び離脱されることができる。
【００３９】
プランジャー１２００は注射器本体２０００のピストン２１００に脱着されるように提供されることができる。プランジャー１２００はピストン２１００の移動によって移動されることができる。プランジャー１２００の一端はプランジャー１２００がノズル容器１１００に挿入された状態で、注入ホール１１３０を通じてノズル容器１１００の外部に露出されることができる。プランジャー１２００の一端及びピストン２１００の一端は互いに対して第１方向及び第２方向に対して固定されるようにかみ合う。第２方向は第１方向と反対方向である。
【００４０】
プランジャー１２００の他端１２２０は第２空間１１１２から第１空間１１１１に第１方向及び第２方向に沿って挿入及び離脱される。
【００４１】
一実施形態によれば、プランジャー１２００には薬液移動路１２３０が形成される。薬液移動路１２３０はプランジャー１２００の側面の一領域及びプランジャー１２００の他端１２２０の間を貫通するように形成される。プランジャー１２００の側面の前記一領域は、プランジャー１２００がロッキング位置に位置される場合には第２空間１１１２に位置され、プランジャー１２００がロッキング位置より吐出ホール１１２０に隣接するように位置される場合には第１空間１１１１に位置される。
【００４２】
第１空間１１１１には逆流防止部１３００が提供される。逆流防止部１３００は吐出ホール１１２０から第１空間１１１１に薬液や外部空気等の薬液が逆流することを防止する。一実施形態によれば、逆流防止部１３００は逆流防止ホール１３１１を開閉することによって、前記逆流を防止することができる。例えば、逆流防止部１３００はバルブ部材１３２０及びバルブ弾性部材１３３０を含む。
【００４３】
バルブ部材１３２０はバルブ提供空間１１１１ｂの逆流防止ホール１３１１に対応するように提供される。バルブ部材１３２０はバルブ弾性部材１３３０の弾性力及びプランジャー１２００の移動によって発生される薬液の流れに応じて移動されて逆流防止壁１３１０に密着及び離隔されることによって逆流防止ホール１３１１を開閉することができる。
【００４４】
バルブ弾性部材１３３０はバルブ部材１３２０に吐出ホール１１２０から逆流防止ホール１３１１に向かう方向に弾性力を加える。バルブ弾性部材１３３０は圧縮された状態で薬液が吐出ホール１１２０に排出されることができる隙間を形成するために、吐出ホール１１２０からバルブ部材１３２０に行くほど、直径が小さくなるコイル型スプリングで提供されることができる。
【００４５】
注射器本体２０００はノズルアセンブリ１０００内の薬液が吐出されるようにノズルアセンブリ１０００に圧力を加える。一実施形態によれば、注射器本体２０００には内部に薬液が収容されるノズルアセンブリ１０００が脱着される。注射器本体２０００はピストン２１００、ピストン弾性部材２２００、装填部２３００、ロッキング部２４００、及びハウジング２５００を含む。
【００４６】
ピストン２１００はプランジャー１２００と連結される。一実施形態によれば、ピストン２１００にはプランジャー１２００が脱着可能に連結される。ピストン２１００の側面には内側ボール収容溝２１３０が形成される。内側ボール収容溝２１３０はピストン２１００がロッキング位置に位置された場合、ロッキングボール２４２０が内側に移動して内側ボール収容溝２１３０に収容されるように提供される。
【００４７】
ピストン弾性部材２２００はピストンにプランジャー１２００がノズル容器１１００内の薬液に圧力を加える第１方向に弾性力を加える。ピストン弾性部材２２００はコイル型スプリングで提供されることができる。
【００４８】
装填部２３００はピストン２１００を第２方向にロッキング（Ｌｏｃｋｉｎｇ）位置まで移動させる。一実施形態によれば、装填部２３００はハンドル２３１０及び係止突起２３２０を含む。
【００４９】
ハンドル２３１０はハウジング２５００の側面から延長されてハウジング２５００に連結される一端を中心に他端がハウジング２５００に接する位置及びハウジング２５００から遠くなる位置の間に回転可能するように提供される。
【００５０】
一実施形態によれば、ハンドル２３１０のハウジング２５００に向かう側面にはハウジングに向かって延長される係止突起２３２０が提供される。係止突起２３２０はハンドル２３１０の側面に連結される一端を中心に他端がハンドル２３１０の回転面と平行な面に沿って回転可能するように提供される。
【００５１】
一実施形態によれば、ハウジング２５００の側面のハンドル２３１０に対応される領域は開放されるように提供される。ピストン２１００の側面のハンドル２３１０の前記領域に対応される領域には係止突起２３２０の他端が第２方向に掛かる係止部材２１１０が提供される。
【００５２】
したがって、ハンドル２３１０の他端がハウジング２５００から遠い位置から隣接する位置に移動されれば、それに応じて係止突起２３２０の他端が係止部材２１１０に掛かりながら、係止部材２１１０に第２方向に力を加えるようになる。
【００５３】
装填部２３００には係止突起２３２０に他端がハンドル２３１０から遠い方向に弾性力を加える係止突起弾性部材が提供されることができる。したがって、ハンドル２３１０はユーザによってピストン２１００をロッキング位置に位置させるためにハウジング２５００の方向に移動された後、係止突起弾性部材の弾性力によって再びハウジング２５００から遠い位置に移動される。
【００５４】
ロッキング部２４００はロッキング位置でピストン２１００が停止されるようにロッキングさせ、前記ロッキングを解除させる。一実施形態によれば、ロッキング部２４００はプッシュボタン２４１０、ロッキングボール２４２０、ボール収容部材２４３０、及びボール収容部材弾性部材２４４０を含む。
【００５５】
プッシュボタン２４１０はハウジング２５００のピストン２１００のプランジャー１２００と連結される一端に向かう面の反対面に提供される。
【００５６】
ロッキングボール２４２０はハウジング２５００の内部の一位置に回転可能するように提供される。ロッキングボール２４２０はピストン２１００の他端に隣接する側面を囲むように複数に提供されることができる。ロッキングボール２４２０は第１方向及び第２方向に対して固定されるように提供される。ロッキングボール２４２０は第１方向及び第２方向に垂直になる方向に沿って移動可能するように提供される。
【００５７】
ボール収容部材２４３０はプッシュボタン２４１０によって第１方向に移動される。ボール収容部材２４３０には外側ボール収容溝２４３１が形成される。外側ボール収容溝２４３１はボール収容部材２４３０の位置がロッキングボール２４２０に対応される位置に位置される場合、ロッキングボール２４２０が外側に移動可能な空間を提供する。
【００５８】
ボール収容部材弾性部材２４４０はボール収容部材２４３０に第２方向に弾性力を加える。ボール収容部材弾性部材２４４０はコイル型スプリングで提供されることができる。
【００５９】
ハウジング２５００は内部にピストン２１００が提供される空間を有する。一実施形態によれば、ハウジング２５００はピストン２１００の一端に向かう面が開放される。ハウジング２５００の側面にはノズルアセンブリ１０００がハウジング２５００に挿入されるようにノズルアセンブリ結合ホールが形成される。
【００６０】
ノズルアセンブリ結合ホールはピストン２１００の一端に向かう面からピストン２１００の一端が対応される領域まで開放されるように形成される。
【００６１】
ノズルアセンブリ結合ホールにはノズルアセンブリ結合ホールを開閉する開閉部材２５２０が提供されることができる。一実施形態によれば、開閉部材２５２０は第２方向に向かう一端がヒンジ２５２１によってハウジング２５００に連結され、前記一端を中心に他端が第１方向に向かう位置及びハウジングから遠くなる位置の間を回転することによってノズルアセンブリ結合ホールを開閉することができる。
【００６２】
以下、図１の無針注射器１０を利用して薬液を注射する方法に対して説明する。
【００６３】
図２乃至図４を参照すれば、薬液がノズル容器１１００の空間に供給された状態のノズルアセンブリ１０００を注射器本体２０００と結合される。一実施形態によれば、開閉部材２５２０が開放された状態で、ノズルアセンブリ１０００はノズルアセンブリ結合ホールを通じてプランジャー１２００の注入ホール１１３０に突出された一端がピストン２１００の一端に結合されるようにハウジング２５００に挿入されて注射器本体２０００と結合される。この時、ピストン２１００はロッキングが解除された状態である。したがって、プランジャー１２００は挿入空間１１１１ａに最大に挿入されている状態である。また、ロッキングボール２４２０は外側ボール収容溝２４３１に挿入された状態であり、内側ボール収容溝２１３０はロッキングボール２４２０に対向される位置より第１方向に移動された状態である。
【００６４】
図５は図１の無針注射器１０のピストン２１００がロッキング位置に移動される形状を示した側断面図である。図６は図５の無針注射器１０の吐出ホール１１２０に隣接する領域を示した側断面図である。図５及び図６を参照すれば、図２の過程が遂行された後、ユーザがハンドル２３１０に力を加えてハンドル２３１０をハウジング２５００が位置された方向に移動させれば、ピストン２１００が第２方向に沿ってロッキング位置に移動される。この時、プランジャー１２００もピストン２１００と共に第２方向に移動しながら、薬液移動路１２３０のピストン２１００の側面に形成されたホールが第２空間１１１２に露出される前まで挿入空間１１１１ａの逆流防止壁１３１０及びピストン２１００の他端の間の空間が真空状態になる。ユーザは手でハンドル２３１０及びハウジング２５００の側面の周辺を共に握ることによって、ハンドル２３１０にハウジング２５００の方に力を加えれることができる。この時、ハンドル２３１０がハウジング２５００の方に完全に移動された状態では、係止突起２３２０の一端から垂直方向に突出された補助突起の終端がハウジングの側面の補助突起に対応される領域から外側に突出され、外側に行くほど、第１方向に傾く傾斜面を有する傾斜突起の前記傾斜面に沿って回転され、これに応じて、係止突起２３２０が回転されて係止突起２３２０の他端が係止部材２１１０から逸脱されるようになる。
【００６５】
図７は図１の無針注射器１０のピストン２１００がロッキング位置に位置された形状を示した側断面図である。図８は図７の無針注射器１０の吐出ホール１１２０に隣接する領域を示した側断面図である。図９は図７の無針注射器１０のピストン２１００の他端に隣接する領域を示した側断面図である。図７乃至図９を参照すれば、図５及び図６の過程が完了されれば、ピストン２１００は内側ボール収容溝２１３０がロッキングボール２４２０に対応される位置に位置される。したがって、ロッキングボール２４２０は内側ボール収容溝２１３０に収容され、ボール収容部材２４３０を止めっていたロッキングボール２４２０が内側ボール収容溝２１３０に移動されることによって、ボール収容部材２４３０はボール収容部材弾性部材２４４０の弾性力によって第２方向に移動される。したがって、ボール収容部材２４３０の外側ボール収容溝２４３１より第１方向の方に位置される領域によってロッキングボール２４２０が外側に移動されることが防止され、ピストン２１００は内側ボール収容溝２１３０に収容されたロッキングボール２４２０によってロッキング位置に停止される。この場合、薬液移動路１２３０のプランジャー１２００の外側に形成されたホールが第２空間１１１２に露出されることによって、第２空間１１１２の薬液が薬液移動路１２３０を通じて真空状態の挿入空間１１１１ａに流入される。
【００６６】
図１０は図１の無針注射器１０の薬液が吐出された状態の形状を示した側断面図である。図１１は図１の無針注射器１０の薬液が吐出されたある状態の吐出ホール１１２０に隣接する領域を示した側断面図である。図１２は図１０の無針注射器１０の形状を示した側断面図である。図１０乃至図１２を参照すれば、ユーザが上述したように無針注射器１０を手で握った状態で親指等を利用してプッシュボタン２４１０を押すと、ボール収容部材２４３０は外側ボール収容溝２４３１がロッキングボール２４２０に対応される位置まで第１方向に移動される。したがって、内側ボール収容溝２１３０に収容されていたロッキングボール２４２０が外側ボール収容溝２４３１に移動され、ロッキングボール２４２０が内側ボール収容溝２１３０に挿入されることによってロッキングされていたピストン２１００がピストン弾性部材２２００の弾性力によって第２方向に移動される。この時、ピストン２１００に連結されたプランジャー１２００はピストン２１００の移動によって第２方向に移動され、これによって挿入空間１１１１ａに収容された薬液が吐出ホール１１２０を通じて吐出される。この時、バルブ部材１３２０はピストン２１００によって加えられた薬液の圧力によって吐出ホール方向に移動され、薬液はバルブ部材１３２０及び逆流防止ホール１３１１の間を通じて吐出ホールに伝達される。
【００６７】
図１３は図１の無針注射器１０の薬液が吐出されハンドル２３１０に加えられた力が緩んだ形状を示した側断面図である。図１３を参照すれば、薬液が吐出された後、ユーザが無針注射器１０を握っていた手を緩めると、係止突起弾性部材の弾性力によって係止突起２３２０が回転してハンドル２３１０をハウジング２５００から遠くなる方向に回転させることによって、無針注射器１０は再び図１と同一な状態になり、上述した方法を繰り返すことによって、再び一定量の薬液を反復走査することができる。特に、本発明の実施形態に係る無針注射器１０は上述したように、一回吐出の時、ノズル容器１１００に収容された薬液の中で挿入空間１１１１ａに流入される薬液のみが吐出されることによって、薬液が収容されたノズルアセンブリ１０００が一度注射器本体２０００に結合されれば、一定量ずつ数回連続的に薬液を走査することができる。
【００６８】
以下、本発明の一実施形態に係る無針注射器１０のノズルアセンブリ１０００に薬液を注入する方法を説明する。
【００６９】
図１４乃至図１６は図１のノズルアセンブリ１０００に薬液を注入する方法の一例を順次的に示した図面である。図１４乃至図１６を参照すれば、スポイト３０等を利用して、注入ホール１１３０を通じて空いているノズルアセンブリ１０００に薬液を注入する。
【００７０】
その後、薬液が注入されたノズルアセンブリ１０００に注入ホール１１３０を通じてプランジャー１２００を他端１２２０から挿入する。
【００７１】
一実施形態によれば、プランジャー１２００の一端には把持部１２４０が提供されることができる。ユーザは把持部１２４０を把持した状態でプランジャー１２００を容易に移動させることができる。把持部１２４０はプランジャー１２００がノズル容器１１００に挿入された後、プランジャー１２００から除去される。把持部１２４０のプランジャー１２００の側面の隣接する領域にはプランジャー１２００の側面の周辺方向に沿って内側方向のみに湾入されるように提供される切断領域が形成されることができる。したがって、把持部１２４０に力を加えてランジャー１２００から除去させる時、切断領域が切断されて、把持部１２４０を容易に除去することができる。
【００７２】
上述したように、本発明の一実施形態に係る無針注射器１０は一回のノズルアセンブリ１０００の交替で一定量の薬液を複数回連続的に走査することができる。また、本発明の一実施形態に係る無針注射器１０は薬液が収容されるノズルアセンブリ１０００が交替されて使用されるので、衛生的であり、感染リスクを下げることができる。
【００７３】
以上の詳細な説明は本発明を例示することである。また、前述した内容は本発明の好ましい実施形態を例として説明することであり、本発明は多様な他の組合、変更、及び環境で使用することができる。即ち、本明細書に開示された発明の概念の範囲、前述した開示内容と均等な範囲及び／又は当業界の技術又は知識の範囲内で変更又は修正が可能である。前述した実施形態は本発明の技術的思想を具現するための最善の状態を説明することであり、本発明の具体的な適用分野及び用途で要求される多様な変更も可能である。したがって、以上の発明の詳細な説明は開示された実施状態に本発明を制限しようとする意図ではない。添付された請求の範囲は他の実施状態も含むこととして解釈されなければならない。
【図１】
2021531049.tif 000003
【図２】
2021531049.tif 000004
【図３】
2021531049.tif 000005
【図４】
2021531049.tif 000006
【図５】
2021531049.tif 000007
【図６】
2021531049.tif 000008
【図７】
2021531049.tif 000009
【図８】
2021531049.tif 000010
【図９】
2021531049.tif 000011
【図１０】
2021531049.tif 000012
【図１１】
2021531049.tif 000013
【図１２】
2021531049.tif 000014
【図１３】
2021531049.tif 000015
【図１４】
2021531049.tif 000016
【図１５】
2021531049.tif 000017
【図１６】
2021531049.tif 000018
【国際調査報告】
2021531049.tif 000019
2021531049.tif 000020
2021531049.tif 000021
2021531049.tif 000022